【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
被験者に対して実行されたインピーダンス測定の分析で使用する方法であって、処理システムにおいて、
ａ）前記被験者の少なくとも１つの脚体節のインピーダンスを示す少なくとも１つのインピーダンス値を求めるステップと、
ｂ）前記少なくとも１つのインピーダンス値を使用して指標を求めるステップであって、前記指標が前記少なくとも１つの脚体節での細胞外液レベルを示すステップと、
を備え、当該方法が更に、前記処理システムにおいて、
ｉ）前記被験者が第１の姿勢の状態で、第１の指標値を求めるステップと、
ｉｉ）前記被験者を所定の期間、第２の姿勢にした後で、前記被験者を前記第１の姿勢にして、第２の指標値を求めるステップと、
ｉｉｉ）前記第１の指標値と前記第２の指標値との差を求めるステップであって、前記差が静脈不全の評価に使用されるステップと、
を含む方法。
【請求項２】
前記処理システムにおいて、
ａ）前記差を監視するステップと、
ｂ）前記差が基準値を下回るまでにかかる所要時間を求めるステップと、
ｃ）前記所要時間を示し、静脈不全の有無又は重症度を判定できるようにするステップと、
を含む請求項１に記載の方法。
【請求項３】
前記処理システムにおいて、
ａ）前記被験者の別の手足について求められた指標、
ｂ）サンプル集団から求められた基準値、及び
ｃ）前記被験者について前に求められた指標
のうちの少なくとも１つである基準値を使用するステップを含む請求項２に記載の方法。
【請求項４】
前記処理システムにおいて、
ａ）前記所要時間、
ｂ）前記第１の指標値、及び
ｃ）前記第２の指標値
のうちの少なくとも１つを表示するステップを含む請求項２又は３に記載の方法。
【請求項５】
前記少なくとも１つのインピーダンス値が、
ａ）１００ｋＨｚ未満、
ｂ）５０ｋＨｚ未満、及び
ｃ）１０ｋＨｚ未満
のうちの少なくとも１つの測定周波数で測定される請求項１〜４のいずれか一項に記載の方法。
【請求項６】
前記処理システムにおいて、前記測定された少なくとも１つのインピーダンス値を、ゼロ測定周波数での前記被験者の抵抗の推定値として使用するステップを含む請求項５に記載の方法。
【請求項７】
少なくとも１つの第２のインピーダンス値を測定するステップであって、前記少なくとも１つの第２のインピーダンス値が、
ａ）２００ｋＨｚ超、
ｂ）５００ｋＨｚ超、及び
ｃ）１０００ｋＨｚ超
のうちの少なくとも１つの測定周波数で測定されるステップを含む請求項１〜６のいずれか一項に記載の方法。
【請求項８】
前記処理システムにおいて、前記測定された少なくとも１つの第２のインピーダンス値を、無限測定周波数での前記被験者の抵抗の推定値として使用するステップを含む請求項７に記載の方法。
【請求項９】
前記処理システムにおいて、
ａ）複数のインピーダンス値を求めるステップと、
ｂ）前記複数のインピーダンス値から少なくとも１つのインピーダンスパラメータ値を求めるステップと、
を含む請求項１〜８のいずれか一項に記載の方法。
【請求項１０】
前記インピーダンスパラメータ値が、
ゼロ周波数での前記抵抗であるＲ0、
無限周波数での前記抵抗であるＲ∞、及び
特性周波数での前記抵抗であるＺc
のうちの少なくとも１つを含む請求項９に記載の方法。
【請求項１１】
前記処理システムにおいて、
ａ）測定されたインピーダンス値からインピーダンスパラメータＲ0及びＲ∞の値を求めるステップと、
ｂ）インデックス（Ｉ）を次式
【数１】
2011511679.tif 000001
を使用して算出するステップと、
を含む請求項１０に記載の方法。
【請求項１２】
前記処理システムにおいて、
前記パラメータ値を次式
【数２】
2011511679.tif 000002
を使用して求めるステップを含み、
式中、
Ｚが角周波数ωでの測定インピーダンスであり、
τが時定数であり、
αの値が０〜１の範囲にある、
請求項１０又は１１に記載の方法。
【請求項１３】
コンピュータシステムにおいて前記インピーダンス測定を実行させるステップを含む請求項１〜１２のいずれか一項に記載の方法。
【請求項１４】
コンピュータシステムにおいて、
ａ）第１の電極セットを使用して１つ又は複数の電気信号を前記被験者に印加させるステップと、
ｂ）前記印加された１つ又は複数の信号に応答して、前記被験者に印加された第２の電極セットに発生した電気信号を測定するステップと、
ｃ）前記印加された信号と前記測定された信号とから、少なくとも１つの測定インピーダンス値を求めるステップと、
を含む請求項１３に記載の方法。
【請求項１５】
被験者に対して実行されたインピーダンス測定の分析で使用する装置であって、
ａ）前記被験者の少なくとも脚体節のインピーダンスを示す少なくとも１つのインピーダンス値を求め、
ｂ）前記少なくとも脚体節での細胞外液レベルを示す指標を前記少なくとも１つのインピーダンス値を使用して求める、
ための処理システムを備え、当該処理システムにおいて、
ｉ）前記被験者が第１の姿勢の状態で、第１の指標値を求め、
ｉｉ）前記被験者を所定の期間、第２の姿勢にした後で、前記被験者を前記第１の姿勢にして、第２の指標値を求め、
ｉｉｉ）静脈不全の評価に使用するべく前記第１の指標値と前記第２の指標値との差を求める、ことを特徴とする装置。
【請求項１６】
ａ）第１の電極セットを使用して１つ又は複数の電気信号を前記被験者に印加させ、
ｂ）前記印加された１つ又は複数の信号に応答して、前記被験者に印加された第２の電極セットに発生した電気信号を測定し、且つ
ｃ）前記印加された信号と前記測定された信号とから、少なくとも１つの測定インピーダンス値を求める、
ための処理システムを有する請求項１５に記載の装置。
【請求項１７】
ａ）電気信号を生成するための信号発生器と、
ｂ）電気信号を検知するためのセンサと、
を有する請求項１６に記載の装置。
【手続補正２】
【補正対象書類名】明細書
【補正対象項目名】００１３
【補正方法】変更
【補正の内容】
【００１３】
第１の一般的な形態において、本発明は、被験者に対して実行されたインピーダンス測定の分析で使用する方法の提供を試みる。本方法は、処理システムにおいて、
ａ）被験者の少なくとも１つの脚体節のインピーダンスを示す少なくとも１つのインピーダンス値を求めるステップと、
ｂ）少なくとも１つのインピーダンス値を使用して指標を求めるステップであって、指標が少なくとも１つの脚体節での細胞外液レベルを示すステップと、
を備え、当該方法が更に、処理システムにおいて、
ｉ）被験者が第１の姿勢の状態で、第１の指標値を求めるステップと、
ｉｉ）被験者を所定の期間、第２の姿勢にした後で、被験者を第１の姿勢にして、第２の指標値を求めるステップと、
ｉｉｉ）第１の指標値と第２の指標値との差を求めるステップであって、差が静脈不全の評価に使用されるステップと、
を含む。
【手続補正３】
【補正対象書類名】明細書
【補正対象項目名】００１５
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００３５
【補正方法】変更
【補正の内容】
【００３５】
第２の一般的形態では、本発明は、被験者に対して実行されたインピーダンス測定の分析で使用する装置の提供を試み、本装置は、
ａ）被験者の少なくとも脚体節のインピーダンスを示す少なくとも１つのインピーダンス値を求め、且つ
ｂ）少なくとも脚体節での細胞外液レベルを示す指標を少なくとも１つのインピーダンス値を使用して求める
ための処理システムを備え、当該処理システムは、
ｉ）前記被験者が第１の姿勢の状態で、第１の指標値を求め、
ｉｉ）前記被験者を所定の期間、第２の姿勢にした後で、前記被験者を前記第１の姿勢にして、第２の指標値を求め、
ｉｉｉ）静脈不全の評価に使用するべく前記第１の指標値と前記第２の指標値との差を求めるためのものである。